(57)【要約】【課題】  運用経験の少ない（無い）顧客に対して検査装置の能力を導入当初から最大限に発揮できるようにする。【解決手段】  印刷物検査装置の管理システムにおいて、サポートセンター側（Ｘ）に管理コンピューター（１２）を設ける。サポートセンター側（Ｘ）から遠隔の地に存在する顧客側（Ｙ）に印刷物検査装置（１３）を設ける。管理コンピューター（１２）と印刷物検査装置（１３）がインターネット（Ｉ）を介して接続されている。印刷物検査装置（１３）はホストコンピューター（１４）と検査機（１８）を有する。検査機（１８）は、ホストコンピューター（１４）に接続されていて、印刷物を検査する。管理コンピューター（１２）がホストコンピューター（１４）を介して検査機（１８）を遠隔管理する。【選択図】  図１
2005308614.tif 000002
【特許請求の範囲】
【請求項１】
サポートセンター側（Ｘ）に対して顧客側（Ｙ）が遠隔地に存在していて、サポートセンター側（Ｘ）で顧客側（Ｙ）を遠隔管理する印刷物検査装置の管理システムにおいて、サポートセンター側（Ｘ）に管理コンピューター（１２）を設け、顧客側（Ｙ）に印刷物検査装置（１３）を設け、管理コンピューター（１２）と印刷物検査装置（１３）がインターネット（Ｉ）を介して接続されていて、印刷物検査装置（１３）は、ホストコンピューター（１４）と、そのホストコンピューター（１４）に接続された検査機（１８）を有し、検査機（１８）が印刷物を検査し、管理コンピューター（１２）がホストコンピューター（１４）を介して検査機（１８）を遠隔管理することを特徴とする印刷物検査装置の管理システム。
【請求項２】
検査機（１８）が印刷物を撮像するためのカメラを有していて、カメラで撮像された画像が、ホストコンピューター（１４）を介して管理コンピューター（１２）に送信され得ることを特徴とする請求項１に記載の印刷物検査装置の管理システム。
【請求項３】
ホストコンピューター（１４）に印刷物を撮像するための画像入力装置（２０）が接続されていて、撮像された画像が、ホストコンピューター（１４）を介して管理コンピューター（１２）に送信され得ることを特徴とする請求項１又は２に記載の印刷物検査装置の管理システム。
【請求項４】
顧客側（Ｙ）で撮像された画像に基づいて、検査機（１８）の検査位置を設定するための設定データが、管理コンピューター（１２）からホストコンピューター（１４）にフィードバックされ得ることを特徴とする請求項１〜３のいずれか１項に記載の印刷物検査装置の管理システム。
【発明の詳細な説明】
【技術分野】
【０００１】
この発明は、印刷物検査装置の管理システムに関する。
【背景技術】
【０００２】
印刷物検査装置で印刷物を検査する場合、各種の設定データを適切に設定する必要がある。
【０００３】
印刷物検査装置の中でも、特に画像処理装置を使用したカメラ型乱丁検査装置は、オペレーター１人が扱う検査機の数が多い（２０台程度、最大４０台以上）。そのため、例えば半導体の外観検査の場合（パッケージのマーキングや異品種混入などの検査、オペレーター１人で２台程度）に比べて設定すべき設定データが非常に多い。
【０００４】
本願出願人は、特許文献１において、印刷内容のズレを検査する構成の検査装置を提案している。
【特許文献１】特開２００３−２７９３１２号公報
【発明の開示】
【発明が解決しようとする課題】
【０００５】
しかしながら、印刷物検査装置の導入初期には、各種の設定データの設定に関して顧客側のノウハウが不足していることが少なくない。特に、検査機の数が多いカメラ型乱丁検査装置は、検査機の数だけ設定項目も増え、また他の丁合い作業に時間をとられる。そのため、検査機のために十分な調整時間を確保することができない。
【０００６】
また、コストなどの点で、社内に専任のオペレーターを置けない場合がある。これが検査機の能力を十分に発揮できない理由となっている。
【０００７】
本発明は、運用経験の少ない顧客に対して検査装置の能力を導入当初から最大限に発揮することを可能とする印刷物検査装置の管理システムを提供することを目的としている。
【課題を解決するための手段】
【０００８】
本発明の解決手段を例示すると、次のとおりである。
【０００９】
（１）  サポートセンター側（Ｘ）に対して顧客側（Ｙ）が遠隔地に存在していて、サポートセンター側（Ｘ）で顧客側（Ｙ）を遠隔管理する印刷物検査装置の管理システムにおいて、サポートセンター側（Ｘ）に管理コンピューター（１２）を設け、顧客側（Ｙ）に印刷物検査装置（１３）を設け、管理コンピューター（１２）と印刷物検査装置（１３）がインターネット（Ｉ）を介して接続されていて、印刷物検査装置（１３）は、ホストコンピューター（１４）と、そのホストコンピューター（１４）に接続された検査機（１８）を有し、検査機（１８）が印刷物を検査し、管理コンピューター（１２）がホストコンピューター（１４）を介して検査機（１８）を遠隔管理することを特徴とする印刷物検査装置の管理システム。
【００１０】
（２）  検査機（１８）が印刷物を撮像するためのカメラを有していて、カメラで撮像された画像が、ホストコンピューター（１４）を介して管理コンピューター（１２）に送信され得ることを特徴とする前述の印刷物検査装置の管理システム。
【００１１】
（３）  顧客側（Ｙ）で撮像された画像に基づいて、検査機（１８）を設定するための設定データが、管理コンピューター（１２）からホストコンピューター（１４）にフィードバックされ得ることを特徴とする前述の印刷物検査装置の管理システム。
【００１２】
（４）  顧客側（Ｙ）で撮像された画像に基づいて、検査機（１８）の検査位置を設定するための設定データが、管理コンピューター（１２）からホストコンピューター（１４）にフィードバックされ得ることを特徴とする前述の印刷物検査装置の管理システム。
【発明の効果】
【００１３】
本発明によれば、印刷物検査装置の検査機を遠隔操作可能に構成しているので、顧客やサポートセンターの対応負担を軽減できる。特に、印刷物検査装置の運用経験の少ない（無い）顧客に対して装置の能力を導入当初から最大限に発揮することが出来る。
【００１４】
例えば、検査機が印刷物を撮像するためのカメラを有していて、撮像された画像が、ホストコンピューターを介して管理コンピューターに送信される構成にすれば、検査機のカメラで撮像された画像をサポートセンター側で検査できる。
【００１５】
例えば、ホストコンピューターに印刷物を撮像するための画像入力装置が接続されていて、撮像された画像が、ホストコンピューターを介して管理コンピューターに送信される構成にすれば、画像入力装置で撮像された画像をサポートセンター側で検査できる。
【００１６】
例えば、顧客側で撮像された画像に基づいて、検査機の検査位置を設定するための設定データが、管理コンピューターからホストコンピューターにフィードバックされる構成にすれば、検査機の過検出や未検出を無くすことができる。
【００１７】
本発明によれば、社内にコストなどの点で専任のオペレーターを置けない小規模の顧客に対して遠隔地からの作業代行を行うことができる。
【発明を実施するための最良の形態】
【００１８】
本発明の印刷物検査装置の管理システムは、サポートセンター側に管理コンピューターを設け、顧客側に印刷物検査装置を設け、管理コンピューターと印刷物検査装置がインターネットを介して接続されていて、印刷物検査装置はホストコンピューターと検査機を有し、検査機はホストコンピューターに接続されて印刷物を検査し、管理コンピューターがホストコンピューターを介して検査機を遠隔管理する構成を特徴とする。
【００１９】
以下に示す実施例では、印刷物検査装置は、カメラ型乱丁検査装置として示されているが、他の型の印刷物の検査装置にも適用化能である。
【００２０】
本発明においてサポートセンター側とは、本発明による管理システムの実施を支援する側を意味し、具体的には印刷物検査装置の販売者側や提供者側等を意味する。
【００２１】
本発明において顧客側とは、本発明による管理システムを実施する側を意味し、具体的には印刷物検査装置の購入者側や利用者側等を意味する。
【００２２】
検査機の検査対象物としての印刷物は、例えば折り丁であるが、他の印刷物であってもよい。
【００２３】
管理コンピューターやホストコンピューターには、インターネットに接続可能な汎用のコンピューターを用いることができる。
【００２４】
検査機が印刷物を撮像するためのカメラを有していて、撮像された画像が、ホストコンピューターを介して管理コンピューターに送信され得るのが好ましい。特に、検査機がカメラを含み、カメラがＣＣＤカメラ等で構成されるのが良い。各検査機では、例えば誤って隣接した丁合い機の折り丁が混ざっていないか（＝異品種混入検査）、また折り丁の向きが間違っていないか、折り丁の不足は無いかが検査される。
【００２５】
特にカメラ型乱丁検査装置では、検査機の数は２０台程度、最大４０台以上であるが、本発明の検査機は、１台から複数台の場合を含む。
【実施例】
【００２６】
以下、図面を参照して本発明の実施例を説明する。
【００２７】
図１は、本発明による印刷物検査装置の管理システムを、カメラ型乱丁検査装置の管理システムに適用した例を示す概念図である。
【００２８】
カメラ型乱丁検査装置の管理システム１０は、サポートセンター側Ｘに管理コンピューター１２を有し、顧客側Ｙに図示省略した製本機とともにカメラ型乱丁検査装置１３を有している。装置１３は、ホストコンピューター１４と検査機１８等を有している。管理コンピューター１２と装置１３のホストコンピューター１４は、インターネットＩを介して接続されている。
【００２９】
ホストコンピューター１４には、検査機用ネットワーク１６を介して複数の検査機１８が接続されている。各検査機１８は、カメラと照光部を含んでいて、検査対象である印刷物としての折り丁（図示せず）の対象となる部位の画像を取り込むことにより検査を行う。各検査機１８で撮像された画像は、ホストコンピューター１４を介して管理コンピューター１２に送信可能である。
【００３０】
ホストコンピューター１４には、画像入力装置としてのスキャナー２０が接続されている。スキャナー２０は、折り丁の全体像を撮像する。スキャナー２０で撮像された画像は、ホストコンピューター１４を介して管理コンピューター１２に送信可能である。
【００３１】
各検査機１８により、誤って隣接した丁合い機の折り丁が混ざっていないか（＝異品種混合検査）、また折り丁の向きが間違っていないか、折り丁の不足は無いか検査される。
【００３２】
以下に、画像や設定データ等の情報ｉの流れの一例を説明する。
【００３３】
顧客側Ｙからの情報の流れ
１．  スキャナー２０で撮像された折り丁の画像（全体像）がサポートセンター側Ｘに送信される。図２に撮像された全体像のサンプルＡを示す。図３に撮像された全体像のサンプルＢを示す。
【００３４】
２．  各検査機１８で撮像された画像がサポートセンター側Ｘに送信される。図４に撮像された画像のサンプルＡ−２を示す。図５に撮像された画像のサンプルＢ−２を示す。
【００３５】
３．  各検査機１８で設定されている設定データがサポートセンター側Ｘに送信される。設定データとして、例えば検査ウィンドウ座標＝（ＸＸ１、ＹＹ１）（ＸＸ２、ＹＹ２）、相関値の閾値＝８０％が送られる。
【００３６】
４．  検査結果がサポートセンター側Ｘへ送信される。検査結果として、例えば検査結果＝良品、相関値＝８５％が送られる。
【００３７】
サポートセンター側Ｘからの情報の流れ
１．  各折り丁の同じ撮像位置にて折り丁間で最も相関値の低くなる撮像位置データが顧客側Ｙの検査機１８にフィードバックされる。図６に上記サンプルＡから得られた撮像位置データのサンプルＡ−３を示す。その座標は例えば（ＸＸ３、ＹＹ３）（ＸＸ４、ＹＹ４）である。図７に上記サンプルＢから得られた撮像位置データのサンプルＢ−３を示す。その座標は例えば（ＸＸ３、ＹＹ３）（ＸＸ４、ＹＹ４）である。
【００３８】
２．  各折り丁の撮像位置を変える事により折り丁間で最も相関値の低くなる撮像位置データが顧客側Ｙの検査機１８にフィードバックされる。図８に上記サンプルＡから得られた撮像位置データのサンプルＡ−４を示す。その座標は例えば（ＸＸ３、ＹＹ３）（ＸＸ４、ＹＹ４）であり、サンプルＡの左下部に対応している。図９に上記サンプルＢから得られた撮像位置データのサンプルＢ−４を示す。その座標は例えば（ＸＸ５、ＹＹ５）（ＸＸ６、ＹＹ６）であり、サンプルＢの右上部に対応している。
【００３９】
こういったデータの交換を行うことにより、過検出（本来正しいものを不良と判断する）や未検出を無くし、運用経験の少ない（無い）顧客に対して検査装置の能力を導入当初から最大限に発揮させることができる。
【００４０】
次に、本発明による管理システムの利用例を説明する。なお、符号「＞」は情報ｉの流れ方向を示す。
【００４１】
１．検査装置導入初期にユーザーサポート又は作業代行を行う場合
顧客の検査機＞ホストコンピューター＞画像送信＞サポートセンター
検査対象物（折り丁）の全体像や対象となる部位の画像などが顧客側Ｙの検査機１８で撮像される。撮像された画像は、ホストコンピューター１４を介してサポートセンター側Ｘに送信される。送信された画像は、サポートセンター側Ｘの管理コンピューター１２で処理される。なお、顧客側Ｙの検査機１８からは、検査機１８の設定に必要なパラメーターも送信可能である。
【００４２】
サポートセンター＞設定データ＞ホストコンピューター＞顧客の検査機
顧客側Ｙからの情報に基づき、サポートセンター側Ｘの管理コンピューター１２から検査機１８の設定に必要なパラメーター（設定データ）がホストコンピューター１４に送信される。送信された設定データに基づいて、顧客側Ｙの検査機１８が検査を行う。また、顧客側Ｙのオペレーターに必要な作業が指示される。
【００４３】
このように、本発明による管理システムを用いれば、装置導入初期における各種の設定データの設定に関してノウハウが不足している顧客に対し、遠隔地からのユーザーサポートを提供できる。
【００４４】
２．インターネットを介した運用代行サービスを行う場合
顧客の検査機＞ホストコンピューター＞画像送信＞代行センター
検査対象物（折り丁）の全体像や対象となる部位の画像などが顧客側Ｙの検査機１８で撮像される。撮像された画像は、ホストコンピューター１４を介してサポートセンター側Ｘに送信される。送信された画像は、代行センターとして機能するサポートセンター側Ｘの管理コンピューター１２で処理される。なお、顧客側Ｙの検査機１８からは、検査機１８の設定に必要なパラメーターも送信可能である。
【００４５】
代行センター＞設定データ＞ホストコンピューター＞顧客の検査機
顧客側Ｙからの情報に基づき、代行センターとして機能するサポートセンター側Ｘの管理コンピューター１２から検査機１８の設定に必要なパラメーター（設定データ）がホストコンピューター１４に送信される。送信された設定データに基づいて、顧客側Ｙの検査機１８が検査を行う。また、顧客のオペレーターに必要な作業が指示される。
【００４６】
このように、本発明による管理システムを用いれば、社内にコストなどの点で専任のオペレーターを置けない顧客に対して遠隔地からの作業代行を行うことができる。
【００４７】
なお、本発明は先述の実施例に限定されない。検査機や印刷物の構成は任意である。
【図面の簡単な説明】
【００４８】
【図１】本発明による印刷物検査装置の管理システムを、カメラ型乱丁検査装置の管理システムに適用した例を示す概念図である。
【図２】撮像された全体像のサンプルＡを示す。
【図３】撮像された全体像のサンプルＢを示す。
【図４】撮像された画像のサンプルＡ−２を示す。
【図５】撮像された画像のサンプルＢ−２を示す。
【図６】サンプルＡから得られた撮像位置データのサンプルＡ−３を示す。
【図７】サンプルＢから得られた撮像位置データのサンプルＢ−３を示す。
【図８】サンプルＡから得られた撮像位置データのサンプルＡ−４を示す。
【図９】サンプルＢから得られた撮像位置データのサンプルＢ−４を示す。
【符号の説明】
【００４９】
１０  カメラ型乱丁検査装置の管理システム（印刷物検査装置の管理システム）
１２  管理コンピューター
１３  印刷物検査装置
１４  ホストコンピューター
１６  検査機用ネットワーク
１８  検査機
２０  スキャナー（画像入力装置）
Ｘ  サポートセンター側
Ｙ  顧客側
【図１】
2005308614.tif 000003
【図２】
2005308614.tif 000004
【図３】
2005308614.tif 000005
【図４】
2005308614.tif 000006
【図５】
2005308614.tif 000007
【図６】
2005308614.tif 000008
【図７】
2005308614.tif 000009
【図８】
2005308614.tif 000010
【図９】
2005308614.tif 000011